(57)【要約】【課題】現像剤が撹拌されて発生するトナーのクラウドが現像装置外へ排出されるのを防止することができる現像装置及び画像形成装置を提供する。【解決手段】現像装置４０は、現像装置本体６０と、前記現像装置本体６０内に形成された第１の現像剤搬送路６４ａに設けられ、回転することにより現像剤を搬送する現像剤搬送部材６８ａと、前記現像剤搬送路６２の前記現像剤搬送部材６８ａに向けて設けられ、前記第１の現像剤搬送路６４ａの少なくとも重力方向上部を封鎖する封鎖手段９０と、を有する。【選択図】図３
2020170036.tif 000002
【特許請求の範囲】
【請求項１】
現像装置本体と、
前記現像装置本体内に形成された現像剤搬送路に設けられ、回転することにより現像剤を搬送する現像剤搬送部材と、
前記現像剤搬送路の前記現像剤搬送部材に向けて設けられ、前記現像剤搬送路の少なくとも重力方向上部を封鎖する封鎖手段と、
を有する現像装置。
【請求項２】
前記封鎖手段は、前記現像剤のキャリアで構成される磁気ブラシである請求項１記載の現像装置。
【請求項３】
前記封鎖手段は、前記磁気ブラシを形成するための磁石を有する請求項２記載の現像装置。
【請求項４】
前記磁石は、前記現像装置本体から前記現像剤搬送路に向けて突出する突出壁に設けられている請求項３記載の現像装置。
【請求項５】
前記突出壁は、前記現像剤搬送路に搬送される現像剤の搬送方向に対して突出側に向けて斜めに形成されている請求項４記載の現像装置。
【請求項６】
前記封鎖手段は、前記現像装置本体から前記現像剤搬送路に突出する封鎖部材から構成されている請求項１記載の現像装置。
【請求項７】
前記現像剤搬送部材は、回転する回転軸と、この回転軸に螺旋状に設けられた撹拌搬送部と、を有し、前記封鎖部材は、前記撹拌搬送部の一部が切り欠かれた部分に設けられている請求項６記載の現像装置。
【請求項８】
前記現像剤搬送路は、トナー供給口から一方向に現像剤を搬送する第１の現像剤搬送路と、前記第１の現像剤搬送路から逆方向に現像剤を搬送する第２の現像剤搬送路とを有し、前記第１の現像剤搬送路と前記第２の現像剤搬送路との間で循環してトナーが搬送され、前記封鎖手段は、前記第１の現像剤搬送路に設けられている請求項１記載の現像装置。
【請求項９】
前記封鎖手段は、第１の現像剤搬送路のトナー搬送方向の下流側に設けられている請求項８記載の現像装置。
【請求項１０】
前記封鎖手段は、前記第１の現像剤搬送路のトナー搬送方向の上流側及び下流側に設けられている請求項８記載の現像装置。
【請求項１１】
前記現像剤搬送部材は、回転する回転軸と、この回転軸に螺旋状に設けられた撹拌搬送部と、前記回転軸の半径方向に突出して設けられて撹拌部とを有し、前記撹拌部は、前記上流側の封鎖手段と前記下流側の封鎖手段との間に配置されている請求項１０記載の現像装置。
【請求項１２】
トナー像を保持する像保持体と、
前記像保持体にトナーを供給する現像装置と、を有し、
前記現像装置は、
現像装置本体と、
前記現像装置本体内に形成された現像剤搬送路に設けられ、回転することにより現像剤を搬送する現像剤搬送部材と、
前記現像剤搬送路の前記現像剤搬送部材に向けて設けられ、前記現像剤搬送路の少なくとも重力方向上部を封鎖する封鎖手段と、
を有する画像形成装置。
【請求項１３】
前記現像装置本体内に設けられ、前記像保持体に対向する現像部材をさらに有し、
前記現像剤搬送路は、トナー供給口から一方向に現像剤を搬送する第１の現像剤搬送路と、前記第１の現像剤搬送路から逆方向に現像剤を搬送し、前記現像部材にトナーを供給する第２の現像剤搬送路とを有し、前記第１の現像剤搬送路と前記第２の現像剤搬送路との間で循環してトナーが搬送され、前記封鎖手段は、前記第１の現像剤搬送路に設けられている請求項１２記載の画像形成装置。
【発明の詳細な説明】
【技術分野】
【０００１】
本発明は、現像装置及び画像形成装置に関する。
【背景技術】
【０００２】
特許文献１は、トナーと磁性キャリアとからなる二成分現像剤を担持する現像ロールと、該現像ロールの背後に当該現像ロールに対して並列的に配列され、現像剤を循環させながら現像ロールに現像剤を搬送する複数の現像剤搬送部材を備えた現像装置において、少なくとも現像ロール最近傍以外の現像剤搬送部材が設けられている現像剤搬送経路中であって、しかもトナー補給部の下流側に、該現像剤搬送部材の最上点近傍の高さに、帯電不充分なトナー及び現像剤の下流側への移動を規制する現像剤搬送量規制部材を設けたことを特徴とする現像装置を開示する。
【０００３】
特許文献２は、現像剤を軸方向に沿って搬送搬送しつつ、新たに供給される少なくともトナーを含む現像剤と攪拌する現像剤搬送部材において、トナーが補給される現像剤搬送部材には、その現像剤の補給部の下流側に、現像剤の軸方向への搬送能力を他の部分よりも低下させ、トナーを滞留させる第１の滞留部を設けるとともに、当該第１の滞留部の下流側に所定の距離を隔てて第２の滞留部を設けたことを特徴とする現像剤搬送部材を開示する。
【先行技術文献】
【特許文献】
【０００４】
【特許文献１】特開平０９−１１４２４３号公報
【特許文献２】特開２００１−１８３８９９号公報
【発明の概要】
【発明が解決しようとする課題】
【０００５】
本発明は、現像剤が撹拌されて発生するトナーのクラウドが現像装置外へ排出されるのを防止することができる現像装置及び画像形成装置を提供することを目的としている。
なお、トナーのクラウドとは、現像剤の撹拌によりトナーが噴煙となる現象をいう。
【課題を解決するための手段】
【０００６】
請求項１に係る本発明は、現像装置本体と、前記現像装置本体内に形成された現像剤搬送路に設けられ、回転することにより現像剤を搬送する現像剤搬送部材と、前記現像剤搬送路の前記現像剤搬送部材に向けて設けられ、前記現像剤搬送路の少なくとも重力方向上部を封鎖する封鎖手段と、を有する現像装置である。
【０００７】
請求項２に係る本発明は、前記封鎖手段は、前記現像剤のキャリアで構成される磁気ブラシである請求項１記載の現像装置である。
【０００８】
請求項３に係る本発明は、前記封鎖手段は、前記磁気ブラシを形成するための磁石を有する請求項２記載の現像装置である。
【０００９】
請求項４に係る本発明は、前記磁石は、前記現像装置本体から前記現像剤搬送路に向けて突出する突出壁に設けられている請求項３記載の現像装置である。
【００１０】
請求項５に係る本発明は、前記突出壁は、前記現像剤搬送路に搬送される現像剤の搬送方向に対して突出側に向けて斜めに形成されている請求項４記載の現像装置である。
【００１１】
請求項６に係る本発明は、前記封鎖手段は、前記現像装置本体から前記現像剤搬送路に突出する封鎖部材から構成されている請求項１記載の現像装置である。
【００１２】
請求項７に係る本発明は、前記現像剤搬送部材は、回転する回転軸と、この回転軸に螺旋状に設けられた撹拌搬送部と、を有し、前記封鎖部材は、前記撹拌搬送部の一部が切り欠かれた部分に設けられている請求項６記載の現像装置である。
【００１３】
請求項８に係る本発明は、前記現像剤搬送路は、トナー供給口から一方向に現像剤を搬送する第１の現像剤搬送路と、前記第１の搬送路から逆方向に現像剤を搬送する第２の現像剤搬送路とを有し、前記第１の現像剤搬送路と前記第２の現像剤搬送路との間で循環してトナーが搬送され、前記封鎖手段は、前記第１の現像剤搬送路に設けられている請求項１記載の現像装置である。
【００１４】
請求項９に係る本発明は、前記封鎖手段は、第１の現像剤搬送路のトナー搬送方向の下流側に設けられている請求項８記載の現像装置である。
【００１５】
請求項１０に係る本発明は、前記封鎖手段は、前記第１の現像剤搬送路のトナー搬送方向の上流側及び下流側に設けられている請求項８記載の現像装置である。
【００１６】
請求項１１に係る本発明は、前記現像剤搬送部材は、回転する回転軸と、この回転軸に螺旋状に設けられた撹拌搬送部と、前記回転軸の半径方向に突出して設けられて撹拌部とを有し、前記撹拌部は、前記上流側の封鎖手段と前記下流側の封鎖手段との間に配置されている請求項１０記載の現像装置である。
【００１７】
請求項１２に係る本発明は、トナー像を保持する像保持体と、前記像保持体にトナーを供給する現像装置と、を有し、前記現像装置は、現像装置本体と、前記現像装置本体内に形成された現像剤搬送路に設けられ、回転することにより現像剤を搬送する現像剤搬送部材と、前記現像剤搬送路の前記現像剤搬送部材に向けて設けられ、前記現像剤搬送路の少なくとも重力方向上部を封鎖する封鎖手段と、を有する画像形成装置である。
【００１８】
請求項１３に係る本発明は、前記現像装置本体内に設けられ、前記像保持体に対向する現像部材をさらに有し、前記現像剤搬送路は、トナー供給口から一方向に現像剤を搬送する第１の現像剤搬送路と、前記第１の現像剤搬送路から逆方向に現像剤を搬送し、前記現像部材にトナーを供給する第２の現像剤搬送路とを有し、前記第１の現像剤搬送路と前記第２の現像剤搬送路との間で循環してトナーが搬送され、前記封鎖手段は、前記第１の現像剤搬送路に設けられている請求項１２記載の画像形成装置である。
【発明の効果】
【００１９】
請求項１又は１２に係る本発明によれば、現像剤が撹拌されて発生するトナーのクラウドが現像装置外へ排出されるのを防止することができる。
【００２０】
請求項２に係る本発明によれば、請求項１に係る本発明の効果に加えて、ソフトにトナークラウドを封鎖することができる。
【００２１】
請求項３に係る本発明によれば、請求項２に係る本発明の効果に加えて、磁石を用いない場合と比較して簡単な構成により磁気ブラシを形成することができる。
【００２２】
請求項４に係る本発明によれば、請求項３に係る本発明の効果に加えて、突出壁がない場合と比較してトナークラウドの流出をより防止することができる。
【００２３】
請求項５に係る本発明によれば、請求項４に係る本発明の効果に加えて、突出壁により現像剤が停滞するのを防止することができる。
【００２４】
請求項６に係る本発明によれば、請求項１に係る本発明の効果に加えて、磁石により磁気ブラシを形成する場合と比較して、簡単な構成によりトナーのクラウドが流出するのを防止することができる。
【００２５】
請求項７に係る本発明によれば、請求項６に係る本発明の効果に加えて、撹拌搬送部の外端よりも内側まで封鎖部材を延ばすことができる。
【００２６】
請求項８に係る本発明によれば、請求項１に係る本発明の効果に加えて、現像剤の撹拌作用が大きい部分で生じるトナーのクラウドが流出するのを防止することができる。
【００２７】
請求項９に係る本発明によれば、請求項８に係る発明の効果に加えて、現像剤の搬送に伴って発生するトナーのクラウドが流出するのを防止することができる。
【００２８】
請求項１０に係る本発明によれば、請求項８に係る発明の効果に加えて、第１の現像剤搬送路の両側でトナーのクラウドが流出するのを防止することができる。
【００２９】
請求項１１に係る本発明によれば、請求項１０に係る発明の効果に加えて、撹拌部の撹拌により生じるトナーのクラウドが流出するのを防止することができる。
【００３０】
請求項１３に係る本発明によれば、請求項１２に係る本発明の効果に加えて、第２の現像搬送路に現像剤を送る第１の現像剤搬送路におけるトナーのクラウドの流出を防止することができる。
【図面の簡単な説明】
【００３１】
【図１】本発明の第１の実施形態に係る画像形成装置を示す断面図である。
【図２】本発明の第１の実施形態に係る現像装置を示す縦断面図である。
【図３】本発明の第１の実施形態に係る現像装置を示す横断面図である。
【図４】本発明の第１の実施形態に係る現像装置における第１の現像剤搬送路の部分を示す断面図である。
【図５】本発明の第２の実施形態に係る現像装置を示す部分断面図である。
【図６】本発明の第３の実施形態に係る現像装置を示す部分断面図である。
【発明を実施するための形態】
【００３２】
次に本発明の実施形態を図面に基づいて説明する。
図１には、本発明の第１の実施形態に係る画像形成装置１０が示されている。画像形成装置１０は、画像形成装置本体１２を有し、画像形成装置本体１２内に、記録媒体にトナー像を形成する画像形成部１４と、画像形成部１４で形成されたトナー像を記録媒体に転写する転写装置１６と、転写装置１６で記録媒体に転写されたトナー像を記録媒体に定着させる定着装置１８と、画像形成部１４に記録媒体を供給する記録媒体供給装置２０、手差し供給装置２２、再搬送装置２４とが設けられている。
【００３３】
また、画像形成装置本体１２の上部は記録媒体が排出される排出部３０として用いられている。また、画像形成装置本体１２の例えば前側（図１における左側）には、画像形成装置１０を操作するための例えばタッチパネルなどの操作部３２が設けられている。操作部３２は、画像形成装置１０の制御情報や指示情報などを表示すると共に、指示情報などのユーザによる入力を受け入れる。即ち、ユーザは、操作部３２を介して画像形成装置１０を操作することができる。
【００３４】
画像形成部１４は電子写真式のもので、感光体からなる像保持体３４と、この像保持体３４を一様帯電する例えば帯電ロールからなる帯電装置３６と、この帯電装置３６により帯電された像保持体３４に、静電潜像を形成するよう光を走査する露光部３８と、この露光部３８により形成された像保持体３４の潜像を可視化する現像装置４０から構成されている。現像装置４０については、後に詳述する。なお、露光部３８は、他の実施形態としてＬＥＤや面発光レーザなどを用いることができる。
【００３５】
定着装置１８は、内部に熱源を有する加熱ロール４２と、加熱ロール４２に押し付けられている加圧ロール４４とを有し、記録媒体に転写されたトナー像を加熱し、加圧して、画像形成部１４で形成されたトナー像を記録媒体に定着する。
【００３６】
記録媒体供給装置２０は、画像形成装置本体１２内の下方に設けられ、画像形成部１４に記録媒体を供給する。この記録媒体供給装置２０は、第１の供給装置２０ａと第２の供給装置２０ｂとを有する。第１の供給装置２０ａと第２の供給装置２０ｂとは、厚さ、大きさ等が互いに異なる記録媒体を収納することができ、厚さ、大きさ等が互いに異なる記録媒体を画像形成部１４に供給することができるようになっている。
【００３７】
第１の供給装置２０ａと第２の供給装置２０ｂとは、記録媒体収納容器４６ａ，４６ｂを有する。記録媒体収納容器４６ａ，４６ｂには、記録媒体が積層するように収納されていて、記録媒体収納容器４６ａ，４６ｂは、シート収納容器４６ａ，４６ｂから記録媒体を送り出す送り出しロール４７ａ，４７ｂを有する。また、送り出しロール４７ａ，４７ｂの記録媒体の搬送方向下流側の給紙搬送路４５ａ，４５ｂに沿って、送り出しロール４７ａ，４７ｂから搬送された記録媒体を後述するレジストロール５０に向けて搬送する給紙ロール４８ａ，４８ｂと、この給紙ロール４８ａ，４８ｂに対向して設けられた捌きロール４９ａ，４９ｂを有する。
【００３８】
また、画像形成装置本体１２の側面（図１の左側面）には、手差し供給装置２２が配設されている。手差し供給装置２２は、記録媒体を載置する手差し載置部５６と、この手差し載置部５６に載置された記録媒体を手差し搬送路５７に沿ってレジストロール５０に向けて送り出す送り出しロール５８とを有する。また、手差し載置部５６は、図１に示す矢印の方向に回動すると開くようになっており、画像形成装置本体１２に開閉自在に支持されている。
【００３９】
また、定着装置１８の記録媒体搬送方向下流側には排出ロール５２が設けられている。排出ロール５２は、回転方向を切り替えられるようになっていて、一方の方向に回転することで、定着装置１８から搬送されて来た記録媒体を排出部３０へ排出する。また、排出ロール５２は、他方の方向に回転することにより排出部３０側から画像形成装置本体１２内へと記録媒体を引込み、反転搬送路２８へ記録媒体を供給する。
【００４０】
反転搬送路２８は、定着装置１８によって一方の面に現像剤像が定着された記録媒体を反転させて、画像形成部１４に再び搬送するために用いられていて、排出ロール５２からレジストロール５０の上流側に記録媒体を搬送する。また、反転搬送路２８に沿って、回転駆動する反転搬送ロール５４が配置されている。反転搬送路２８と、反転搬送ロール５４とで再搬送装置２４が構成されている。
【００４１】
図２から図４には、現像装置４０の詳細が示されている。
現像装置４０は、キャリアとトナーとからなる現像剤を撹拌してトナーを帯電させて現像する２成分現像装置である。
【００４２】
現像装置４０は、現像装置本体６０を有する。本体部６０ａに上蓋６０ｂが接合されて構成されている。この現像装置本体６０内に現像剤搬送部６２が設けらている。この現像剤搬送部６２には、第１の現像剤搬送路６４ａと第２の現像剤搬送路６４ｂが長手方向に平行に形成されている。第１の現像剤搬送路６４ａと第２の現像剤搬送路６４ｂは、仕切り壁６６により長手方向に仕切られていると共に、該撹拌搬送路６４ａ，６４ｂ長手方向両端部で互いに第１開口部６５ａ及び第２の開口部６５ｂを介して接続されている。この第１の現像剤搬送路６４ａ及び第２の現像剤搬送路６４ｂには、撹拌搬送部材６８ａ，６８ｂがそれぞれ配置されている。この撹拌搬送部材６８ａ，６８ｂは、回転軸７０ａ，７０ｂと、この回転軸７０ａ，７０ｂの周囲に螺旋状に形成された撹拌搬送部７２ａ，７２ｂとから構成されている。この現像剤搬送部６２は、回転する撹拌搬送部材６８ａ，６８ｂにより現像剤を撹拌搬送し、キャリア及びトナーを帯電させるようにしている。また、第１の現像剤搬送路６４ａにおける撹拌搬送部材６８ａには、複数の撹拌部６９が撹拌搬送部６８ａの間で回転軸７０ａから半径方向に突出するように形成されている。
【００４３】
また、現像装置本体６０内には、現像部材である現像ロール７４が設けられている。この現像ロール７４は、内部に固定されて周面に磁極を形成する磁石部７６と、この磁石部７６の周囲を回転するスリーブ７８とから構成されている。また、現像ロール７４は、前述した像保持体３４に対向しており、スリーブ７８の周囲に形成された磁気ブラシに付着したトナーを像保持体３４に形成された潜像に移動されるようになっている。また、現像装置本体６０には、現像ロール７４に対向して層厚規制部材８０が設けられている。この層厚規制部材８０は、スリーブ７８上に形成された磁気ブラシの層厚を規制する。
【００４４】
また、現像装置本体６０の外側にあって、第１の現像剤搬送路６４ａのキャリア量を検出するための検出手段８２が設けられている。この検出手段８２は、例えば透磁率センサであり、透磁率を検出することによって第１の現像剤搬送路６４ａの検出範囲内にあるキャリア量を検出する。
【００４５】
また、現像装置本体６０の第１の現像剤搬送路６４ａの長手方向一端には、トナー供給部８４が設けられている。このトナー供給部８４には、トナー供給口８６が形成されている。このトナー供給口８６は、図示しないトナーカートリッジに直接、又はリザーブタンクを介して接続されている。前述した検出手段によりキャリア量が多いことが検出されると、トナー供給口８６にはトナーが供給される。また、トナー供給部８４内には、トナー供給用の搬送部材８８が設けられている。このトナー供給用の搬送部材８６により第１の現像剤搬送路６４ａへ新しいトナーが供給される。
【００４６】
封鎖手段を構成する封鎖部９０は、第１の現像剤搬送路６４ａにおいて、第１の開口部６５ａのやや下流側と、第１の開口部６５ｂのやや上流側の２箇所に設けられている。この封鎖部９０は、上蓋６０ｂから下方へ延びる突出壁９２と、この突出壁９２の下部に固定された磁石９４とから構成されている。突出壁９２と磁石９４とは、撹拌搬送部６８ａの上方を囲むように円弧状に形成されている。磁石９４は、例えばゴムから構成されたラバーマグネットである。この磁石９４により現像剤内のキャリアが付着し、磁気ブラシを構成する。磁気ブラシは、例えば数ミリ程度であり、この時期ブラシを通過しようとするトナーのクラウドが磁力により捕捉され、トナーのクラウドが第１の現像剤搬送路６４ａの長手方向両端部等から現像装置４０外へ漏れるのを防止する。
【００４７】
前述した複数の撹拌部６９は、長手方向において、封鎖部９０，９０の間にのみ形成されている。この複数の撹拌部６９は、第１の現像剤搬送路６４ａの長手方向の中央部分において現像剤を撹拌するようになっている。この複数の撹拌部６９は、撹拌搬送部７２ａよりも撹拌力がある。このため、第1の現像剤搬送路６４ａの中央部分でトナーのクラウドが発生しやすいが、両側の封鎖部９０，９０によりトナーのクラウドの漏れを少なくする。
【００４８】
なお、この第１の実施形態においては、第１の現像剤搬送路６４ａの上流側と下流側の２箇所に封鎖部９０を設けたが、現像剤の搬送に伴ってトナーのクラウドも搬送方向へ移動するので、第１の現像剤搬送路６４ａの下流側のみに設けてもよい。
【００４９】
また、磁石９４により磁気ブラシが形成されるので、磁気ブラシを形成するキャリアの量が不足するおそれがある場合があり、この場合は、不足するおそれキャリア量を補うため、現像装置４０内には予め定めた量のキャリアを増加させておいてもよい。
【００５０】
上記構成において、トナー供給口８６から供給されたトナーは、第１の現像剤搬送路６４ａに入り、搬送部材８８の回転により第１の現像剤搬送路６４ａに供給される。第１の現像剤搬送路６４ａにおいては、元々ある現像剤と新たに供給されたトナーとが撹拌搬送部材６８ａの回転により撹拌されながら下流側へ搬送される。
【００５１】
例えば像密度が高い（１枚当たりに印刷するトナー量が多い）画像を連続して印刷する場合には、トナー供給口８６から供給されるトナー量が多く、第１の現像剤搬送路６４ａでは撹拌が不十分となってトナーのクラウドが発生する。
【００５２】
このようにして発生したトナーのクラウドは、特に第１の現像剤搬送路６４ａの重力方向上部に舞って第１の現像剤搬送路６４ａの漏れやすい部分、例えば第１の現像剤搬送路６４ａの長手方向両側から現像装置４０の外側へ漏れようとする。
【００５３】
しかしながら、第１の現像剤搬送路６４ａにおいては、封鎖部９０，９０により第１の現像剤搬送路６４ａの重力方向上部が封鎖されているので、トナーのクラウドは、封鎖部９０，９０に形成されている磁気ブラシに捕捉され、封鎖部９０，９０の外側への移動が防止される。
【００５４】
図５には、第２の実施形態における封鎖部９０が示されている。
この第２の実施形態においては、突出壁９２が長手方向断面において徐々に細くなるように斜めに形成されている。このように突出壁９２が斜めに形成されているので、この突出壁９２の部分で現像剤が塊となって滞留するのを防止する。さらに磁石９４も斜めに形成するようにしてもよい。
【００５５】
図６には、第３の実施形態における封鎖部９０が示されている。
この第３の実施形態においては、封鎖部９０は、磁石をもちいることなく、上蓋６０ｂから下方へ延びる封鎖部材９６として構成されている。この封鎖部材９６によりトナーのクラウドが通過するのを物理的に防ぐようになっている。
【００５６】
ただし、封鎖部材９６を下方に延ばすと、封鎖部材９６が撹拌搬送部７２ａと干渉するおそれがある。そのため、撹拌搬送部７２ａには切欠き９８が半径方向に沿って形成され、この切欠き９８内に封鎖部材９６が入り込むようにして、封鎖部材９６と撹拌搬送部７２ａとの干渉を防止する。
【００５７】
なお、上記実施形態においては、画像形成装置において、現像装置が単独で設けられる例について説明したが、像保持体や帯電装置又は露光部等と現像装置を一体にしてユニットとした場合にも適用することができる。
【符号の説明】
【００５８】
１０    画像形成装置
１２    画像形成装置本体
１４    画像形成部
１６    転写装置
１８    定着装置
２０    記録媒体供給装置
２０ａ  第１の供給装置
２０ｂ  第２の供給装置
２２    手差し供給装置
２４    再搬送装置
２８    反転搬送路
３０    排出部
３２    操作部
３４    像保持体
３６    帯電装置
３８    露光部
４０    現像装置
４２    加熱ロール
４４    加圧ロール
４５ａ，４５ｂ  給紙搬送路
４６ａ，４６ｂ  記録媒体収納容器
４７ａ，４７ｂ  送り出しロール
４８ａ，４８ｂ  給紙ロール
４９ａ，４９ｂ  捌きロール
５０    レジストロール
５２    排出ロール
５４    反転搬送ロール
５６    手差し載置部
５７    手差し搬送路
５８    送り出しロール
６０    現像装置本体
６２    現像剤搬送部
６４ａ，６４ｂ    現像剤搬送路
６６    仕切り壁
６８ａ，６８ｂ    撹拌搬送部材
６９    撹拌部
７０ａ，７０ｂ    回転軸
７２ａ，７２ｂ    撹拌搬送部
７４    現像ロール
７６    磁石部
７８    スリーブ
８０    層厚規制部材
８２    検出手段
８４    トナー供給部
８６    トナー供給口
８８    トナー供給用の搬送部材
９０    封鎖部
９２    突出壁
９４    磁石
９６    封鎖部材
９８    切欠き
【図１】
2020170036.tif 000003
【図２】
2020170036.tif 000004
【図３】
2020170036.tif 000005
【図４】
2020170036.tif 000006
【図５】
2020170036.tif 000007
【図６】
2020170036.tif 000008